(57)【要約】【課題】蒸気排出装置では、炊飯器と湯沸かし器を収納部に設けた電源コンセントに差し込み使用するが、電源コンセントを流れる電流値を検出し、電力ブレーカの遮断定格電流以上で湯沸かし器の電源を遮断する場合、電力ブレーカの遮断特性を有効に活用して、湯沸かし器への通電をできるだけ長くするようにし、湯沸かし器の使い勝手を向上させるものである。【解決手段】総合電流が電力ブレーカの遮断定格電流値よりも低い第１電流値未満では、電源コンセントに電力供給を継続し、総合電流がコンセントの定格電流値から電力ブレーカの遮断定格電流値を超える所定の許容電流値までの範囲は、コンセントへの電力供給時間を段階的または連続的に変化させ、総合電流が許容電流値に達したときは他の電気器具への電力供給を遮断する。【選択図】図５
2009273616.tif 000002
【特許請求の範囲】
【請求項１】
電気式炊飯器と他の電気器具が収納部に収納設置され、前記収納部に設けたコンセント
に前記電気炊飯器と他の電気器具が接続され、蒸気排出ファンによって前記収納部から発
生する蒸気を前記収納部に開口した蒸気吸い込み口から吸い込んで蒸気排出口から前記収
納部外へ排出するように構成した蒸気排出装置において、総合電流が前記コンセントの定
格電流値未満では前記コンセントへの電力供給を継続し、前記総合電流が前記コンセント
の定格電流値から電力ブレーカの遮断定格電流値を超える所定の許容電流値までの範囲は
、前記コンセントへの電力供給時間を段階的または連続的に変化させ、前記総合電流が前
記許容電流値に達したときは、前記他の電気器具への電力供給を遮断することを特徴とす
る蒸気排出装置。
【発明の詳細な説明】
【技術分野】
【０００１】
本発明は、収納部へ炊飯器、湯沸かし器等の蒸気発生を伴う器具を収納して使用するよ
うに構成した蒸気排出装置に関する。
【背景技術】
【０００２】
収納部へ蒸気発生を伴う調理器具を収納して使用するように構成した収納庫において、
収納部内の左側に炊飯器、右側に電気保温ポットが設置されて通電使用されるものがあり
、収納部内の天井面の左側と右側には、それぞれ上方へ窪んだ凹状空間があり、この左側
の凹状空間には正方形環状の蒸気吸込口が形成され、右側の凹状空間には長方形環状の蒸
気吸込口が形成され、これら蒸気吸込口の上方にはそれぞれ吸込み口８ａ、８ｂを形成し
た三角形状のダクトが配置され、このダクトの前端部に単一の遠心式送風機が配置され、
送風機の運転によって各蒸気吸込口から吸い込んだ蒸気が、各吸込み口８ａ、８ｂからダ
クトへ吸い込まれ、前面の蒸気排気口から排出されるものがある。（特許文献１参照）。
【特許文献１】特開２００７−１９５７６４号公報
【発明の開示】
【発明が解決しようとする課題】
【０００３】
この種の蒸気排出装置では、炊飯器、湯沸かし器等のように、使用電力が異なる二種類
の蒸気発生器具を収納部の左右に収納し、収納部に設けたそれぞれの電源コンセントに差
し込んで使用されるが、家屋に設けられた電力ブレーカの遮断定格電流値以上になった場
合、この両電源コンセントへの電力供給を遮断すれば、炊飯器での炊き上げ途中に家庭の
電力ブレーカが遮断する状態になったときは、炊き上げ不良となる。
【０００４】
本発明はこのような点に鑑み、収納部に設けた各コンセントに炊飯器と湯沸かし器を接
続して通電された場合、炊飯器での炊き上げ途中に家庭の電力ブレーカの遮断定格電流値
に達して遮断する状態になったときは、それを速やかに検出して、湯沸かし器の電源を遮
断して、炊飯器の通電は継続することにより、炊き上げ不良が生じないように制御する技
術を提供するものである。
【０００５】
この場合、電源コンセントを流れる総合電流が、電力ブレーカが遮断動作する遮断定格
電流以上になった場合でも、湯沸かし器が接続されたコンセントへの通電を直ちに遮断す
るのではなく、電力ブレーカの遮断特性を有効に活用して、湯沸かし器への通電をできる
だけ長くするようにし、湯沸かし器の加熱効果を向上させるようにするものである。
【課題を解決するための手段】
【０００６】
本発明の蒸気排出装置は、電気式炊飯器と他の電気器具が収納部に収納設置され、前記
収納部に設けたコンセントに前記電気炊飯器と他の電気器具が接続され、蒸気排出ファン
によって前記収納部から発生する蒸気を前記収納部に開口した蒸気吸い込み口から吸い込
んで蒸気排出口から前記収納部外へ排出するように構成した蒸気排出装置において、総合
電流が前記コンセントの定格電流値未満では前記コンセントへの電力供給を継続し、前記
総合電流が前記コンセントの定格電流値から電力ブレーカの遮断定格電流値を超える所定
の許容電流値までの範囲は、前記コンセントへの電力供給時間を段階的または連続的に変
化させ、前記総合電流が前記許容電流値に達したときは、前記他の電気器具への電力供給
を遮断することを特徴とする。
【発明の効果】
【０００７】
本発明によって、電気式炊飯器への通電は継続するため、正規の炊飯動作を確保できる
と共に、湯沸かし器への通電をむやみに遮断することがなくなり、湯沸かし器の加熱効果
を向上させることができるものとなる。
【発明を実施するための最良の形態】
【０００８】
本発明の蒸気排出装置は、電気式炊飯器と他の電気器具が収納部に収納設置され、前記
収納部に設けたコンセントに前記電気炊飯器と他の電気器具が接続され、蒸気排出ファン
によって前記収納部から発生する蒸気を前記収納部に開口した蒸気吸い込み口から吸い込
んで蒸気排出口から前記収納部外へ排出するように構成した蒸気排出装置において、総合
電流が前記コンセントの定格電流値未満では前記コンセントへの電力供給を継続し、前記
総合電流が前記コンセントの定格電流値から電力ブレーカの遮断定格電流値を超える所定
の許容電流値までの範囲は、前記コンセントへの電力供給時間を段階的または連続的に変
化させ、前記総合電流が前記許容電流値に達したときは、前記他の電気器具への電力供給
を遮断するものであり、本発明の実施例を以下に記載する。
【実施例１】
【０００９】
本発明の実施形態について説明する。図１は本発明に係る蒸気排出装置の正面斜視図、
図２は本発明に係る蒸気排出装置の制御回路図、図３は本発明に係る蒸気排出装置の改良
前のデマンドコントロールの動作説明図である。
【００１０】
これらの図において、１は本発明の蒸気排出装置を示しており、蒸気排出装置１の機体
２は、炊飯器、湯沸かし器等の蒸気発生器具が左右に収納設置される前面開口の収納部（
収納室）３を備え、収納部（収納室）３の上部に位置するように、機体２の上部に蒸気排
出ユニットＪＵが取り付けられている。蒸気排出ユニットＪＵは、収納部（収納室）３の
天井部を形成するように機体２に取り付けらており、その前面に化粧パネル４が設けられ
ている。蒸気排出ユニットＪＵは、上面等の外壁を形成する外殻板５１と収納部（収納室
）３の天井面を形成する天井板５との間に、各種ダクト及び蒸気排出ファン９を備えた蒸
気排出通路８を形成し、収納部（収納室）３内の蒸気を収納部（収納室）３の天井面に形
成した蒸気吸い込み口６から吸い込み、この蒸気排出通路８を通して化粧パネル４に形成
した蒸気排出口７から収納部（収納室）３外へ排出する構成である。また収納部（収納室
）３内の壁（図では背壁面）には、電気式炊飯器や電気式湯沸かし器等の蒸気発生を伴う
器具１１の電源用として電源コンセント１０が取り付けられている。実施例では、使用電
力が異なる二種類の蒸気発生器具として、湯沸かし器１１Ａと湯沸かし器１１Ａに比して
使用電力が大きい炊飯器１１Ｂを示しており、そのため、電源コンセント１０は、左右に
第１電源コンセント（差し込み口）１０Ａと、第２電源コンセント（差し込み口）１０Ｂ
を有する二口用の電源コンセント１０を採用している。
【００１１】
化粧パネル４内にはマイクロコンピュータ式の制御部１２が収納され、化粧パネル４の
前面には操作パネル１３があり、操作パネル１３には、蒸気排出装置１の電源の入／切（
ＯＮ／ＯＦＦ）スイッチ部１４と、動作モード選択スイッチ部１５と、自動標準モードの
表示部１６と、自動長時間モードの表示部１７と、手動モードの表示部１８と、優先動作
モードの表示部１９と、これらの下方に動作状態を表示する横長のインジケータ２０が設
けられている。各表示部１６、１７、１８、１９はそれぞれ１個のＬＥＤの点灯で表示さ
れる構成であり、インジケータ２０は、複数のＬＥＤが直線状に横一列に配置された構成
である。これらのスイッチ部１４、１５、及び各表示部１６、１７、１８、１９、及びイ
ンジケータ２０は、それぞれ制御部１２に電気的に接続され、蒸気排出ファン９も制御部
１２に電気的に接続されている。
【００１２】
図２において、２１は電力会社から家屋へ供給される家屋用電源であり、２２は遮断定
格電流において電力供給を遮断するように家屋に設けられた電力ブレーカである。図示の
電力ブレーカ２２は、蒸気排出装置１の電源専用に設けたもので示している。２３Ａは第
１電源コンセント１０Ａに接続された蒸気発生器具１１Ａの通電回路に接続された第１電
流遮断器（リレー）であり、制御部１２によって通電が制御される。２３Ｂは第２電源コ
ンセント１０Ｂに接続された蒸気発生器具１１Ｂの通電回路に接続された第２電流遮断器
（リレー）であり、制御部１２によって通電が制御される。２４Ａは第１電源コンセント
１０Ａに接続された蒸気発生器具１１Ａの電流を検出する第１電流検知器、２４Ｂは第２
電源コンセント１０Ｂに接続された蒸気発生器具１１Ｂの電流を検出する第２電流検知器
である。この電流検知器２４Ａは、蒸気発生を伴う器具１１Ａの電流が１次側コイル２４
Ａ１を流れ、この電流によって２次側コイル２４Ａ２に生じる電流または電圧が制御部１
２に入力されて、制御部１２が動作する。また、電流検知器２４Ｂは、蒸気発生を伴う器
具１１Ｂの電流が１次側コイル２４Ｂ１を流れ、この電流によって２次側コイル２４Ｂ２
に生じる電流または電圧が制御部１２に入力されて、制御部１２が動作する。蒸気排出装
置１への電源供給は、電源プラグ２５Ｂを蒸気排出装置１用のコンセント２５Ａに差し込
むことにより得られる。
【００１３】
このような構成において、電源プラグ２５Ｂを家屋内のコンセント２５Ａに差し込んだ
状態で、蒸気排出装置１に電源が供給された状態となり、電源コンセント１０へ電力が供
給された状態である。この状態で、電源コンセント１０の第１差し込み口１０Ａへ湯沸か
し器１１Ａの電源プラグを差し込み、第２差し込み口１０Ｂへ炊飯器１１Ｂの電源プラグ
を差し込み、それらに備えられたスタートスイッチがＯＮされた状態において、電源の入
／切（ＯＮ／ＯＦＦ）スイッチ部１４を押す操作によってそのスイッチがＯＮし、その信
号が制御部１２へ入力され、自動標準モードの表示部１６のＬＥＤが点灯する。
【００１４】
この状態で湯沸かし器１１Ａと炊飯器１１Ｂへ通電され、湯沸かし器１１Ａの沸き上げ
終了まで及び炊飯器１１Ｂの炊き上げ終了までは、湯沸かし器１１Ａと炊飯器１１Ｂへは
大きな電流が流れる状態であり、これをそれぞれの電流検知器２４Ａ、２４Ｂが検知し、
制御部１２の動作によって電動機が始動し蒸気排出ファン９が高速運転状態となる。湯沸
かし器１１Ａの沸き上げ終了及び炊飯器１１Ｂの炊き上げ終了まで、制御部１２の動作に
よってこの状態が継続し、発生する多くの蒸気を良好に排出する。
【００１５】
そして、湯沸かし器１１Ａの沸き上げ終了にて保温状態になり、電源コンセント１０Ａ
の電力が低下し、電流検知器２４Ａの１次側コイル２４Ａ１を流れる電流が減少するため
、この電流によって２次側コイル２４Ａ２に生じる電流または電圧が減少し、これが制御
部１２に入力される。また、炊飯器１１Ｂの炊き上げ終了にて保温状態になり、電源コン
セント１０Ｂの電力が低下し、電流検知器２４Ｂの１次側コイル２４Ｂ１を流れる電流が
減少するため、この電流によって２次側コイル２４Ｂ２に生じる電流または電圧が減少し
、これが制御部１２に入力される。このように、湯沸かし器１１Ａが沸き上げ終了にて保
温状態になり、且つ炊飯器１１Ｂが炊き上げ終了にて保温状態になると、制御部１２によ
って電動機による蒸気排出ファン９の回転を低速回転状態に切り替えられる。制御部１２
によってこの低速回転状態を所定時間継続した後、電動機の運転を停止して蒸気排出ファ
ン９の運転を停止する。なお、動作モードは動作モード選択スイッチ部１５の操作によっ
て設定された動作モードを選択して、動作させることができる。
【００１６】
収納部（収納室）３内の左側に湯沸かし器１１Ａを収納して電源コンセント１０の差し
込み口１０Ａへ湯沸かし器１１Ａの電源プラグが差し込み、収納部（収納室）３内の右側
に炊飯器１１Ｂを収納して差し込み口１０Ｂへ炊飯器１１Ｂの電源プラグが差し込み、そ
れらのスタートスイッチをＯＮし、電源の入／切（ＯＮ／ＯＦＦ）スイッチ部１４をＯＮ
操作することにより、湯沸かし器１１Ａと炊飯器１１Ｂが通電状態にあるとき、何らかの
原因により、電源コンセント１０を流れる総合電流が増大し、電力ブレーカ２２を流れる
電流が所定値をオーバーする状態となって電力ブレーカ２２が遮断動作すれば、炊飯器１
１Ｂでの炊き上げ途中に中断し、炊き上がらずに所謂ブチ飯となることが懸念される。
【００１７】
制御部１２は、電流検知器２４Ａ、２４Ｂの検知に基づき、電源コンセント１０Ａ、１
０Ｂのいずれに大きな電力消費の蒸気発生器具１１が接続されているかを判別手段（判別
回路）１２Ａによって判別する。このため、電源コンセント１０Ａに湯沸かし器１１Ａが
接続され、電源コンセント１０Ｂに湯沸かし器１１Ａよりも電力消費の大きい炊飯器１１
Ｂが接続されている状態において、同時に湯沸かし器１１Ａの沸き上げと炊飯器１１Ｂの
炊き上げが開始（湯沸かし器１１Ａと炊飯器１１Ｂへの通電が開始）されたとき、電源コ
ンセント１０Ａに流れる電流よりも電源コンセント１０Ｂに流れる電流が大きいことが電
流検知器２４Ａ、２４Ｂの検知に基づき判別手段（判別回路）１２Ａによって判別され、
電源コンセント１０Ｂに炊飯器１１Ｂが接続されていることが判別されている。
【００１８】
この状態において、電源コンセント１０の総合電流、即ち電源コンセント１０Ａ、１０
Ｂにそれぞれ接続された湯沸かし器１１Ａと炊飯器１１Ｂとの総合電流が、所定の上限値
（各コンセント１０Ａ、１０Ｂの定格電流として、実施例では１５Ａ＝１５アンペア）未
満であり、インジケータ２０の表示の一つとして、インジケータ２０のＬＥＤを第１発光
状態（例えば連続発光状態）とする。この状態において、電流検知器２４Ａ、２４Ｂにて
検出した合計電流が電源コンセント１０の総合電流である。この総合電流が電力ブレーカ
２２の遮断定格電流（実施例では２０Ａ＝２０アンペア）未満であってコンセント定格電
流１５Ａ＝１５アンペア未満の場合は、図３に示すように、電源コンセント１０に接続さ
れた湯沸かし器１１Ａと炊飯器１１Ｂへの通電が継続し、上記のように、湯沸かし器１１
Ａが沸き上げ終了にて保温状態になり、且つ炊飯器１１Ｂが炊き上げ終了にて保温状態に
なる。
【００１９】
しかし、図３に示すように、この総合電流（総負荷電流）が所定の上限値（実施例では
コンセント定格電流１５Ａ＝１５アンペア）以上の状態を所定時間（実施例では１０秒に
設定）継続したことが制御部１２によって判定されたときは、表示部１９のＬＥＤが点灯
すると共に、制御部１２によって第１電流遮断器（リレー）２３Ａのコイル２３Ａ１の通
電が切れてその接点２３Ａ２がＯＦＦし（開く）、差し込み口１０Ａの電力ラインをＯＦ
Ｆし（開く）て、湯沸かし器１１Ａへの電力供給を遮断する。これによって、電力ブレー
カ２２を流れる電流が低下して遮断することが避けられ、電源コンセント１０Ｂに接続さ
れた炊飯器１１Ｂの電力供給が遮断することなく継続する。この状態では、蒸気排出ファ
ン９は運転を継続しており、インジケータ２０の複数のＬＥＤが所定の第２発光状態（例
えば１秒間隔での点滅状態か、更に長い時間間隔での緩やかな点滅状態）となる。
【００２０】
次に、収納部（収納室）３内の右側に湯沸かし器１１Ａを収納して、電源コンセント１
０Ｂに湯沸かし器１１Ａが接続され、収納部（収納室）３内の左側に炊飯器１１Ｂを収納
して、電源コンセント１０Ａに湯沸かし器１１Ａよりも電力消費の大きい炊飯器１１Ｂが
接続されている場合において、同時に湯沸かし器１１Ａの沸き上げと炊飯器１１Ｂの炊き
上げが開始されたとき、電流検知器２４Ａ、２４Ｂの検知に基づき、判別手段（判別回路
）１２Ａによって電源コンセント１０Ａに炊飯器１１Ｂが接続されていることが判別され
ている。このため、上記同様に、電流検知器２４Ａ、２４Ｂにて検出した総合電流が、所
定の上限値（実施例では１５Ａ＝１５アンペア）以上の状態を所定時間（実施例では１０
秒に設定）継続したことが制御部１２によって判定されたとき、表示部１９のＬＥＤが点
灯すると共に、制御部１２によって第２電流遮断器（リレー）２３Ｂのコイル２３Ｂ１の
通電が切れてその接点２３Ｂ２がＯＦＦし（開く）、差し込み口１０Ｂの電力ラインをＯ
ＦＦし（開く）て、湯沸かし器１１Ａへの電力供給を遮断する。これによって、電力ブレ
ーカ２２を流れる電流が低下して遮断することが避けられ、電源コンセント１０Ａに接続
された炊飯器１１Ｂの電力供給が遮断することなく継続する。この状態では、蒸気排出フ
ァン９は運転を継続しており、インジケータ２０の複数のＬＥＤが所定の第２発光状態（
例えば１秒間隔での点滅状態か、更に長い時間間隔での緩やかな点滅状態）となる。
【００２１】
このように、収納部（収納室）３内の左右いずれの位置にも炊飯器１１Ｂと湯沸かし器
１１Ａを収納可能とし、且ついずれのコンセント１０Ａ、１０Ｂに炊飯器１１Ｂと湯沸か
し器１１Ａを接続してもよいようにするために、いずれのコンセント１０Ａ、１０Ｂに炊
飯器１１Ｂと湯沸かし器１１Ａが接続されているかを判別手段（判別回路）１２Ａによっ
て判別している。そしてこの判別に基づき、炊飯器１１Ｂと湯沸かし器１１Ａが同時使用
された場合、炊飯器１１Ｂでの炊き上げ途中に家庭の電力ブレーカ２２が遮断したときは
、炊き上げ不良となるが、本発明では、電力ブレーカ２２が遮断する電流状態となったこ
とを速やかに検出して、湯沸かし器１１Ａの電源を遮断して、炊飯器１１Ｂの通電は継続
することにより、炊き上げ不良が生じないように制御することができる。
【００２２】
上記では、電源コンセント１０の差し込み口１０Ａと差し込み口１０Ｂのいずれか一方
へ湯沸かし器１１Ａの電源プラグを差し込み、他方へ炊飯器１１Ｂの電源プラグを差し込
んで、同時に通電状態である場合において、通常は電源コンセント１０を流れる総合電流
が、電力ブレーカ２２が遮断動作する遮断定格電流以上にならない電力容量である場合（
湯沸かし器１１Ａと炊飯器１１Ｂの総合電力容量が小さい場合）であって、何らかの原因
により電源コンセント１０を流れる総合電流が増大したときの保護について記載した。
【００２３】
上記の制御動作では、電源コンセント１０を流れる総合電流（電力ブレーカ２２を流れ
る総合電流に想到する）が、電力ブレーカ２２が遮断動作する遮断定格電流未満であって
、所定の上限値（実施例ではコンセント定格電流１５Ａ＝１５アンペア）以上になった場
合には、湯沸かし器１１Ａが接続されたコンセントへの通電を遮断するデマンドコントロ
ールを行っている。この状態は図３に示している。これによって、コンセントの保護も達
成できる。
【実施例２】
【００２４】
本発明に係る蒸気排出装置１の他の実施形態に係る制御回路図を図４に示している。図
２に示したものと同じ機能部は同じ符号を付している。この実施形態を図４に基づき説明
する。図示の電力ブレーカ２２は、図２に示したものと同じく、蒸気排出装置１の電源専
用に設けたもので示している。図４に示すものは、判別手段（判別回路）１２Ａを設けな
い形態であり、差し込み口１０Ｂを炊飯器１１Ｂ専用とし、差し込み口１０Ａを湯沸かし
器１１Ａ専用または他の機器も接続可能とする場合である。使用者が間違わないようにす
るために、このように指定するための表示が、差し込み口１０Ａと差し込み口１０Ｂに対
応して付されている。
【００２５】
このように差し込み口１０Ｂを炊飯器１１Ｂ専用とするために、制御部１２には判別手
段（判別回路）１２Ａを設けず、電源コンセント１０を流れる総合電流を電流検知器２４
Ａと同様の構成である電流検出回路２４Ｃで検知し、この検知に基づき制御部１２が動作
し、上記同様に、所定の上限値（１５Ａ＝１５アンペア）以上の状態が所定時間（実施例
では１０秒に設定）継続したとき、制御部１２によって電流遮断器（リレー）２３Ｃが動
作しその接点２３Ｃ１が開いて、差し込み口１０Ａへの電力供給を遮断するように動作も
のである。
【００２６】
電流遮断器（リレー）２３Ｃは、第１電流遮断器（リレー）２３Ａと同様の構成である
。また、ＤＣは制御部１２用の電源回路であり、ＫＤはスイッチ部１４及び動作モード選
択スイッチ部１５のどのスイッチが動作したかを検出する検出回路であり、ＬＤは制御部
１２の動作によって表示部１６、１７、１８、１９及びインジケータ２０のＬＥＤの点灯
を制御する点灯駆動回路である。
【００２７】
このように、電流検出回路２４Ｃの検知に基づく制御部１２の動作によって、炊飯器１
１Ｂと湯沸かし器１１Ａが同時使用された場合、または炊飯器１１Ｂと他の機器が同時使
用された場合、炊飯器１１Ｂでの炊き上げ途中に家庭の電力ブレーカ２２が遮断したとき
は、炊き上げ不良となるが、本発明では、電力ブレーカ２２が遮断する電流状態となった
ことを速やかに検出して、湯沸かし器１１Ａまたは他の機器が接続された差し込み口１０
Ａの電源を遮断して、炊飯器１１Ｂの通電は継続することにより、炊飯器１１Ｂの炊き上
げ不良が生じないように制御することができる。
【００２８】
この制御動作では、電源コンセント１０を流れる総合電流（電力ブレーカ２２を流れる
総合電流に想到する）が、電力ブレーカ２２が遮断動作する遮断定格電流未満であって、
所定の上限値（実施例ではコンセント定格電流１５Ａ＝１５アンペア）以上の状態を所定
時間（実施例では１０秒に設定。この時間は電力ブレーカ２２が作動しない許容時間であ
る）継続したことが制御部１２によって判定されたとき、湯沸かし器１１Ａへの電力供給
を遮断するように制御する。この状態は図３に示している。
【００２９】
上記実施例１及び２では、一般家庭の各コンセントの定格電流が１５Ａ（１５アンペア
）に設定されたもので説明したが、それよりも大きい定格電流のもの（例えば２０Ａ＝２
０アンペアのもの）を使用して、大きな消費電力の炊飯器１１Ｂや湯沸かし器１１Ａが接
続できるようにすることもできる。これによって、電力ブレーカ２２の遮断定格電流が２
０Ａ（２０アンペア）の場合、この蒸気排出装置１の定格電流も２０Ａとすることにより
、蒸気排出装置１の利用範囲が広がる。このため、コンセント１０Ａ、１０Ｂも各コンセ
ント容量が２０Ａ（２０アンペア）のものを使用し、このコンセント１０から電源プラグ
２５Ｂへの電線も２０Ａ（２０アンペア）のものを採用し、家屋内のコンセント２５Ａと
プラグ２５Ｂも２０Ａ（２０アンペア）のものを採用するようにすれば、それぞれのコン
セント１０Ａ、１０Ｂが、２０Ａ（２０アンペア）までの容量電気器具の接続を可能とす
ることができる。この場合も、上記同様に、所定の上限値（実施例では２０Ａ＝２０アン
ペア）以上の状態を所定時間（実施例では１０秒に設定。この時間は電力ブレーカ２２が
作動しない許容時間である）継続したことが制御部１２によって判定されたとき、湯沸か
し器１１Ａへの電力供給を遮断するように制御できる。
【実施例３】
【００３０】
本発明は、上記のようなデマンドコントロールを更に進歩させる技術を提供する。一般
家庭の各コンセントの定格電流は、通常１５Ａ（１５アンペア）に設定されており、コン
セント１０Ａ、１０Ｂの各コンセント容量も１５Ａ（１５アンペア）に設定したものを採
用する。
【００３１】
そして、電源コンセント１０を流れる総合電流が、所定の上限値（実施例では１５Ａ＝
１５アンペア）以上になった場合でも、湯沸かし器１１Ａが接続されたコンセントへの通
電を直ちに遮断するのではなく、電力ブレーカ２２の遮断特性を有効に活用して、湯沸か
し器１１Ａへの通電をできるだけ長くするようにし、湯沸かし器１１Ａの加熱効果を向上
させるようにするものである。
【００３２】
極めて短時間の突入電流（何らかの原因による大きな異常電流）が流れた場合等でも、
電力ブレーカ２２は遮断動作しなくても安全が確保される場合がある。一般の電力ブレー
カ２２は、この安全を確保するため及び誤作動を防止するために、遮断定格電流よりもあ
る程度大きな電流が流れても、ある時間は遮断動作しないような範囲（許容電流値までの
範囲または許容動作領域）を有するように設計されている。このため、電力ブレーカ２２
は遮断動作特性が、電力ブレーカ２２ごとに多少異なる。
【００３３】
図７に示すものは、一般家庭で使用される電力ブレーカ２２として、電力ブレーカ２２
の遮断定格電流が２０Ａ（２０アンペア）の場合の遮断動作特性図の一つを示しており、
この電流２０Ａ（２０アンペア）に対する１００％未満の状態（２０Ａ未満の範囲）では
、連続通電されても遮断しない状態が続き、また電流２０Ａに対する１２５％のとき（２
５Ａのとき）は、略４０秒連続通電されても遮断しない状態が続き、また電流２０Ａに対
する１５０％のとき（３０Ａのとき）は、略２０秒連続通電されても遮断しない状態が続
くことがわかる。このように電力ブレーカ２２は、遮断定格電流を超えても直ちに遮断し
ない許容値を持つ特性を有しており、これは電力ブレーカ２２によって多少異なる。以下
、これをもとにして説明する。
【００３４】
先ず、本発明の改良されたデマンドコントロールの一つを図５に基づき説明する。この
場合、電力ブレーカ２２は、蒸気排出装置１の電源専用に設けたもので説明する。図２、
図４のいずれの形態においても、制御部１２の動作によって、電源コンセント１０を流れ
る総合電流が、電力ブレーカ２２が遮断動作する遮断定格電流（実施例では２０Ａ＝２０
アンペア）よりも低い第１電流値（実施例では１５Ａ＝１５アンペア）未満の場合は、電
源コンセント１０への連続通電状態を継続できるようにする。この第１電流値の１５Ａ（
１５アンペア）は、一般家庭のコンセント定格に相当する電流値である。これは改良前の
ものと同じである。
【００３５】
本発明は、更に、収納部３に設けたコンセント１０に電気炊飯器１１Ｂと他の電気器具
１１Ａが接続され、コンセント１０を流れる総合電流が、第１電流値であるコンセント１
０の定格電流値（実施例では１５アンペア）未満では、コンセント１０への電力供給を継
続する。そして、総合電流が前記第１電流値（実施例では１５アンペア）から電力ブレー
カ２２の遮断定格電流値（実施例では２０アンペア）を超える所定の許容電流値（実施例
では、この遮断定格電流値２０アンペアの１２５％相当である２５アンペア。この電流値
は電力ブレーカ２２が遮断動作するまで若干の余裕がある電流値であり、電力ブレーカ２
２の特性によって異なるので、これに限定されない）までの範囲は、コンセント１０への
電力供給時間を段階的または連続的に変化低減させ、前記総合電流が前記許容電流値（実
施例では１２５％相当の２５アンペア）に達したときは、電気炊飯器１１Ｂへの電力供給
は継続するが、前記他の電気器具への電力供給を遮断する制御を行なうものである。
【００３６】
この制御において、電源コンセント１０を流れる総合電流が、第１電流値である１５Ａ
（１５アンペア）以上であり、第２電流値である電力ブレーカ２２の遮断定格電流（実施
例では２０Ａ＝２０アンペア）未満の場合は、制御部１２の動作によって、デマンドコン
トロール作動（炊飯器１１Ｂが接続されたコンセント１０Ａまたは１０Ｂではない他方の
コンセント１０Ａまたは１０Ｂへの通電を遮断する作動）までは、第１の所定時間Ｔ１（
これは、図７の特性図において電力ブレーカ２２が遮断動作しない安全な時間であり、実
施例では２０秒としている）電源コンセント１０へ連続通電する。
【００３７】
更に電源コンセント１０を流れる総合電流が増加して、第２電流値の２０Ａ（２０アン
ペア）以上であり電力ブレーカ２２の遮断定格電流の１２５％（実施例では２５Ａ＝２５
アンペア）までの範囲では、制御部１２の動作によって、デマンドコントロール作動（炊
飯器１１Ｂが接続されたコンセント１０Ａまたは１０Ｂではない他方のコンセント１０Ａ
または１０Ｂへの通電を遮断する作動）までは、第２の所定時間Ｔ２（これは、図７の特
性図において電力ブレーカ２２が遮断動作しない安全な時間であり、実施例では第１の所
定時間Ｔ１よりも短い１０秒としている）電源コンセント１０へ連続通電して、制御部１
２がその状態を見る。
【００３８】
そして、第２電流値の２０Ａ（２０アンペア）以上で電力ブレーカ２２の遮断定格電流
の１２５％（実施例では２５Ａ＝２５アンペア）までの状態が第２の所定時間Ｔ２（実施
例では１０秒）継続すると、制御部１２の動作によって、上記のように、炊飯器１１Ｂが
接続されたコンセント１０Ａまたは１０Ｂではない他方のコンセント１０Ａまたは１０Ｂ
への通電を遮断するように動作する。即ち、例えば差し込み口１０Ｂに炊飯器１１Ｂが接
続され、差し込み口１０Ａに湯沸かし器１１Ａまたは他の機器が接続されている場合は、
図２においては、上記のように第１電流遮断器（リレー）２３Ａのコイル２３Ａ１の通電
が切れてその接点２３Ａ２がＯＦＦし（開く）、差し込み口１０Ｂへの通電は継続するが
差し込み口１０Ａへの通電は遮断する。また、図４においては、上記のように電流遮断器
（リレー）２３Ｃが動作してその接点２３Ｃ１がＯＦＦし（開く）、差し込み口１０Ｂへ
の通電は継続するが差し込み口１０Ａへの通電は遮断する。
【００３９】
なお、電源コンセント１０を流れる総合電流が、電力ブレーカ２２の遮断定格電流値（
実施例では２０アンペア）を超える所定の許容電流値（実施例では電力ブレーカ２２の遮
断定格電流の１２５％相当の２５Ａ＝２５アンペア）以上になった場合は、図５に示すよ
うに、電力ブレーカ２２は、その特性に基づき遮断動作する。
【００４０】
このような第１の所定時間Ｔ１及び第２の所定時間Ｔ２は、電源コンセント１０の定格
電流値を超える状態であるが、電源コンセント１０の状態は安全が確保される許容範囲に
定められ、また、第２の所定時間Ｔ２は、電力ブレーカ２２が遮断動作するまでの許容電
流の範囲内で定められる。このため、上記の第１の所定時間Ｔ１及び第２の所定時間Ｔ２
は、電力ブレーカ２２の作動特性に合わせて許容電流の範囲内で設定すればよい。また、
上記では、Ｔ１、Ｔ２の２段階の制御であるが、これを３段階、４段階のように多くの段
階に増やして、同様の通電時間制御とすることもできる。
【００４１】
このように、電源コンセント１０の定格電流値を超える状態になった場合、湯沸かし器
１１Ａが接続されたコンセントへの通電を直ちに遮断するのではなく、電力ブレーカ２２
の遮断特性による通電許容時間内で所定時間通電することを段階的に変更するものである
。このため、電力ブレーカ２２の遮断定格電流値（上記では２０アンペア）を超える所定
の許容電流値（上記では２０アンペアの１２５％である２５アンペア）よりも低い第１電
流値（例えば電源コンセント１０の定格電流１５Ａ＝１５アンペア）未満では、電源コン
セント１０には電力供給を継続し、総合電流がこの第１電流値から電力ブレーカ２２の遮
断定格電流値（上記では２０アンペア）を超える所定の許容電流値（上記では２０アンペ
アの１２５％である２５アンペア）までの範囲では、電源コンセント１０を流れる総合電
流に対応して、電源コンセント１０への電力供給時間を、段階的に変化（第１電流値から
電力ブレーカ２２の遮断定格電流値へ増加するときは段階的に低減）するようにし、総合
電流が電力ブレーカ２２の遮断定格電流値（上記では２０アンペア）を超える所定の許容
電流値（上記では２０アンペアの１２５％である２５アンペア）に達したときは、電気式
炊飯器以外の他の電気器具への電力供給を遮断するものである。
【００４２】
これによって、電気式炊飯器１１Ｂへの通電は継続するため、正規の炊飯動作を確保で
きると共に、湯沸かし器１１Ａへの通電を長くすることができるため、湯沸かし器１１Ａ
の使い勝手を向上させることができるものとなる。
【実施例４】
【００４３】
次に、本発明の改良されたデマンドコントロールの他の実施形態を図６に基づき説明す
る。図２、図４のいずれの形態においても、制御部１２の動作によって、電源コンセント
１０を流れる総合電流が、電力ブレーカ２２が遮断動作する遮断定格電流（実施例では２
０Ａ）よりも低い第１電流値（実施例では１５Ａ＝１５アンペア）未満の場合は、電源コ
ンセント１０への連続通電状態を継続できるようにする。この第１電流値の１５Ａ＝１５
アンペアは、一般家庭のコンセント定格に相当する電流値である。これは改良前のものと
同じである。
【００４４】
そして、電源コンセント１０を流れる総合電流が、この第１電流値の１５Ａ（１５アン
ペア）以上から電力ブレーカ２２が遮断動作する遮断定格電流の１２５％（実施例では２
５Ａ＝２５アンペア）までの範囲では、制御部１２の動作によって、デマンドコントロー
ル作動（炊飯器１１Ｂが接続されたコンセント１０Ａまたは１０Ｂではない他方のコンセ
ント１０Ａまたは１０Ｂへの通電を遮断する作動）するまでの間は、第１電流値の１５Ａ
（１５アンペア）に対応する第１の所定時間Ｔ１（これは、図７の特性図において電力ブ
レーカ２２が遮断動作しない安全な時間であり、実施例では２０秒としている）の時点か
ら、電力ブレーカ２２の遮断定格電流の１２５％（実施例では２５Ａ＝２５アンペア）に
対応する第２の所定時間Ｔ２（これは、図７の特性図において電力ブレーカ２２が遮断動
作しない安全な時間であり、実施例では１０秒としている）時点までは、電源コンセント
１０への通電時間が２０秒から１０秒まで連続的に変化（電流が増加する場合はこの時間
が減少し、逆の場合は増加する）するように制御される。
【００４５】
そして、電源コンセント１０を流れる総合電流が、電力ブレーカ２２の遮断定格電流値
（上記では２０アンペア）を超える所定の許容電流値（上記では２０アンペアの１２５％
である２５アンペア）に達した状態が１０秒間継続したとき、上記同様に、制御部１２の
動作によって、炊飯器１１Ｂが接続されたコンセント１０Ａまたは１０Ｂではない他方の
コンセント１０Ａまたは１０Ｂへの通電を遮断する作動を行う。
【００４６】
このように、湯沸かし器１１Ａが接続されたコンセントへの通電を直ちに遮断するので
はなく、電力ブレーカ２２の遮断特性による通電許容時間内で所定時間通電することを連
続的に変更するものであり、電力ブレーカ２２の遮断定格電流値よりも低い第１電流値（
例えばコンセント定格電流１５アンペア）未満では、電源コンセント１０には電力供給を
継続し、この第１電流値から電力ブレーカ２２の遮断定格電流値を超える所定の許容電流
値（上記１２５％）までの範囲では、電源コンセント１０を流れる総合電流に対応して、
電源コンセント１０への電力供給時間を連続的に変化（第１電流値から電力ブレーカ２２
の許容電流値へ増加するときは漸減）するようにし、総合電流が電力ブレーカ２２の遮断
定格電流値の許容電流値（上記１２５％）に達したときは、電気式炊飯器以外の他の電気
器具への電力供給を遮断するものである。
【００４７】
これによって、電気式炊飯器１１Ｂへの通電は継続するため、正規の炊飯動作を確保で
きると共に、湯沸かし器１１Ａへの通電をむやみに遮断することがなくなり、湯沸かし器
１１Ａの使い勝手を向上させることができるものとなる。
【００４８】
上記の各実施例では、電力ブレーカ２２を蒸気排出装置１の専用とした場合であるが、
電力ブレーカ２２は、蒸気排出装置１及び蒸気排出装置１以外の電力器具が接続される形
態でもよい。この後者の場合には、上記電源コンセント１０を流れる総合電流は、蒸気排
出装置１及び蒸気排出装置１以外の電力器具を流れる総合電流であり、動作は上記同様で
ある。
【産業上の利用可能性】
【００４９】
本発明は、上記実施例に示した構成に限定されず、種々の形態の蒸気排出装置に適用で
きるものであり、本発明の技術範囲において種々の形態を包含するものである。
【図面の簡単な説明】
【００５０】
【図１】本発明に係る蒸気排出装置の正面斜視図である。（実施例１）
【図２】本発明に係る蒸気排出装置の制御回路図である。（実施例１）
【図３】本発明に係る蒸気排出装置の改良前のデマンドコントロールの動作説明図である。（実施例１）（実施例２）
【図４】本発明に係る蒸気排出装置の他の実施形態に係る制御回路図である。（実施例２）
【図５】本発明に係る蒸気排出装置の改良された実施形態のデマンドコントロールの動作説明図である。（実施例３）
【図６】本発明に係る蒸気排出装置の改良された他の実施形態のデマンドコントロールの動作説明図である。（実施例４）
【図７】本発明に係る蒸気排出装置に係る電力ブレーカの特性図である。（実施例３）（実施例４）
【符号の説明】
【００５１】
１・・・・・蒸気排出装置
２・・・・・蒸気排出装置の機体
３・・・・・収納部（収納室）
４・・・・・化粧パネル
５・・・・・壁（図では天井壁面）
６・・・・・蒸気吸い込み口
７・・・・・蒸気排出口
８・・・・・排気通路
９・・・・・蒸気排出ファン
１０・・・・電源コンセント
１０Ａ・・・第１電源コンセント（差し込み口）
１０Ｂ・・・第２電源コンセント（差し込み口）
１１Ａ・・・湯沸かし器
１１Ｂ・・・炊飯器
１２・・・・制御部
１２Ａ・・・判別手段（判別回路）
１３・・・・操作パネル
１４・・・・電源の入／切（ＯＮ／ＯＦＦ）スイッチ部
２１・・・・家屋用電源
２２・・・・電力ブレーカ
２３Ａ・・・第１電流遮断器（リレー）
２３Ｂ・・・第２電流遮断器（リレー）
２３Ｃ・・・電流遮断器（リレー）
２４Ａ・・・第１電流検知器
２４Ｂ・・・第２電流検知器
２４Ｃ・・・電流検出回路
２５Ａ・・・コンセント
２５Ｂ・・・電源プラグ
【図１】
2009273616.tif 000003
【図２】
2009273616.tif 000004
【図３】
2009273616.tif 000005
【図４】
2009273616.tif 000006
【図５】
2009273616.tif 000007
【図６】
2009273616.tif 000008
【図７】
2009273616.tif 000009